(57)【要約】      （修正有）【課題】物品を安定した状態で結束することができる包装用ゴムバンドを提供する。【解決手段】幅広のゴムバンド１に、その周方向において等間隔又は略等間隔で、ゴムバンドを二分する切れ目部２を四箇所に設ける。【選択図】図１
0003139113.tif 000002
【実用新案登録請求の範囲】
【請求項１】
幅広のゴムバンドに、その周方向において等間隔又は略等間隔で、前記ゴムバンドを幅方向に二分する切れ目部が四箇所に設けられていることを特徴とする包装用ゴムバンド。
【請求項２】
前記切れ目部の前記周方向の両端が、円弧状に形成されていることを特徴とする請求項１記載の包装用ゴムバンド。
【考案の詳細な説明】
【技術分野】
【０００１】
本考案は、書類や書籍等を結束したり、包装箱の蓋を留めたりするための包装用ゴムバンドに関する技術である。
【背景技術】
【０００２】
従来、書籍等の物品を結束するためのゴムバンドとして、一定の幅を有するゴムバンドに、その周方向に等間隔又は略等間隔に連結部分を残し、両連結部分間に幅方向の中央位置で周方向に幅を二分する切れ目部を設け、その切れ目部の端部を円弧状又はＵ字状に形成している十字掛用ゴムバンドが知られている（例えば、特許文献１参照）。この十字掛けゴムバンドは、物品の表面及び裏面の各中央部に連結部分がそれぞれ位置するようにして装着し、切れ目部によって二分されているゴムバンド部のうち、連結部分を挟んで対角に位置する一対のゴムバンド部を縦方向に掛渡すとともに、他方の一対のゴムバンド部を前記一対のゴムバンドに対し直交する方向に掛渡すことによって物品を結束している。
【特許文献１】実開平０５−２６８６５号公報（第５頁、第１及び２図）
【考案の開示】
【考案が解決しようとする課題】
【０００３】
しかしながら、上記のような十字掛用ゴムバンドは、十字掛けした状態で物品を結束するためコーナー部がカバーされず、特に、付録を挟んだ書籍などは中央部が膨れた状態になるためゴムバンド部がずれ易く、安定して結束することができない。
【０００４】
そこで本考案は、物品を安定した状態で結束することができる包装用ゴムバンドを提供することを課題としている。
【課題を解決するための手段】
【０００５】
請求項１記載の包装用ゴムバンドは、幅広のゴムバンドに、その周方向において等間隔又は略等間隔で、前記ゴムバンドを二分する切れ目部を四箇所に設けることを特徴としている。
【０００６】
この請求項１の包装用ゴムバンドによれば、書籍等の物品の各コーナー部を、前記切れ目部によって二分された一対のバンド部のいずれかによって、表面側と裏面側とから挟んだ状態で前記物品を結束することができる。したがって、前記バンド部が前記物品に対してずれにくくなるため、前記物品を安定した状態で結束することができる。
【０００７】
請求項２記載の包装用ゴムバンドは、切れ目部の周方向の両端を、円弧状に形成することを特徴としている。この請求項２の包装用ゴムバンドによれば、周方向における前記切れ目部の両端を円弧状に形成することで、前記一対のバンド部を幅方向に開いた際、前記切れ目部の両端において局所的に応力が集中することを避けることができる。
【考案の効果】
【０００８】
請求項１の包装用ゴムバンドは、付録を挟んでいる書籍等のように結束しづらいものでも、安定して結束することができる。また、粘着テープとは違って繰り返し使用することができ、蓋付きの包装箱に用いれば、粘着テープと違って箱の外面を傷めないため、繰り返し包装箱を使用することができる。
【０００９】
請求項２の包装用ゴムバンドは、切り目部の端部に亀裂が生じにくくなり、耐久性が向上する。
【考案を実施するための最良の形態】
【００１０】
以下、本考案に係る包装用ゴムバンドの実施形態について図面を参照しつつ説明する。
【００１１】
この包装用ゴムバンド１は、図１に示すように、厚み約１ｍｍ，幅約１５ｍｍの幅広の断面形状を備えており、約４４ｃｍの周長を有している。そして、包装用ゴムバンド１をその幅方向に二分する周方向に沿った切れ目部２が、周方向に等間隔で計四箇所に設けられている。各切り目部２は幅方向において中央部に位置し、周方向に長く延びた長穴状に形成されており、その周方向の両側端部２ａは円弧状になっている。これにより、切り目部２によって二分された一対のバンド部３を幅方向に開いた際、切り目部２の両側端部２ａにおいて局所的な応力集中が発生することを防いでいる。したがって、繰り返し使用しても亀裂等が生じにくく、耐久性に優れている。
【００１２】
この包装用ゴムバンド１は、天然ゴムを主原料とするゴム材料を押出成形によって肉厚約１ｍｍのホース状に形成し、このホースを外側から押圧してフラットな状態に変形させ、約１５ｍｍの幅で裁断するとともに、二箇所に切り目部２用の穴を型抜きすることで形成されている。なお、ゴム材料に顔料を加えれば、色付きの包装用ゴムバンドを得ることができる。
【００１３】
次に、上記包装用ゴムバンド１の作用について説明する。
【００１４】
図２に示すように、包装用ゴムバンド１の一対のバンド部３を幅方向に開いて、そのあいだに書籍１０のコーナー部１０ａを通し、コーナー部１０ａを一対のバンド部３で表側と裏側とから挟んだ状態にする。他のコーナー部１０ａに対しても同様の操作をし、書籍１０の各コーナー部１０ａが、いずれか一対のバンド部３で挟まれている状態に、包装用ゴムバンド１を書籍１０に装着する。
【００１５】
このようにして包装用ゴムバンド１を書籍１０に装着すると、書籍１０の全コーナー部１０ａが一対のバンド部３によってそれぞれ縛られた状態になり、書籍１０を安定した状態で結束することができる。なお、書籍１０は一冊に限らず数冊重ねた状態で結束することも可能である。
【００１６】
図３は、包装用ゴムバンド１を付録付き書籍１１に装着した状態を示している。付録付き書籍１１は、付録が間に挟まれているために中央部が厚み方向にやや膨らんだ形状になっているが、各コーナー部１１ａが一対のバンド部３によってそれぞれ縛られた状態になっているため、十字掛用ゴムバンドに比べて安定した状態で結束されている。
【００１７】
図４は、包装用ゴムバンド１を蓋付きの包装箱１２に装着した状態を示している。蓋１３をした状態の包装箱１２に対し、各コーナー部１２ａをそれぞれ、一対のバンド部３で蓋１３の上面側と本体１４の底面側とから挟み縛った状態にしている。このようにして、包装用ゴムバンド１を包装箱１２に装着すれば、蓋１３が不用意に開くことを防止することができる。しかも、粘着テープを使用しないため、箱の外観を傷めることがなく繰り返し使用できるようになる。なお、包装用ゴムバンド１の径や幅を大きくすれば、大型の包装箱にも用いることができる。
【図面の簡単な説明】
【００１８】
【図１】本考案に係る包装用ゴムバンドを示す斜視図。
【図２】本考案に係る包装用ゴムバンドで書籍を結束した状態を示す斜視図。
【図３】本考案に係る包装用ゴムバンドで付録付き書籍を結束した状態を示す斜視図。
【図４】本考案に係る包装用ゴムバンドで蓋付きの包装箱を結束した状態を示す斜視図。
【符号の説明】
【００１９】
１      包装用ゴムバンド
２      切り目部
２ａ    端部
３      バンド部
１０    書籍
１０ａ  コーナー部
１１    付録付き書籍
１１ａ  コーナー部
１２    包装箱
【図１】
0003139113.tif 000003
【図２】
0003139113.tif 000004
【図３】
0003139113.tif 000005
【図４】
0003139113.tif 000006